(57)【特許請求の範囲】
【請求項１】
株主総会における議案番号ごとに、投票結果の受付開始時及び受付終了時に係る入力指示をそれぞれ受信した時の自サーバの現在時刻と投票状態を関連付けた議決状況情報と、前記議案番号ごとに、前記投票結果、投票実施時刻、株主番号及び議決権数を関連付けた投票結果情報とをデータベースに記録するとともに、前記議案番号ごとに、前記投票実施時刻が前記受付開始時から前記受付終了時までの投票受付時間内である有効な前記投票結果を抽出し、前記議案番号と前記投票結果の組み合わせごとに前記議決権数を集計する集計サーバと、
この集計サーバに接続され、無線通信を中継する無線アクセスポイントと、
この無線アクセスポイントと前記無線通信を行う無線通信部、自端末における前記投票実施時刻を管理する時刻管理部、自端末に係る前記投票結果情報を前記集計サーバへ前記無線通信部を介して送信する投票実施部及び自端末に係る前記投票結果情報を記憶する投票結果情報記憶部をそれぞれ有する複数の株主端末と、
前記集計サーバに対して、前記議案番号ごとに前記投票結果の前記受付開始時及び前記受付終了時に係る入力指示を送信して前記データベースへ前記議決状況情報を記録させるとともに、前記複数の株主端末への前記受付開始時及び前記受付終了時に係るメッセージの送信を要求し、前記投票状態が投票締切である前記議案番号を送信して前記有効な前記投票結果の集計を要求する議事進行端末と、
前記複数の株主端末との通信による接続時に、前記投票結果情報記憶部に記憶された前記投票結果情報を読取り、前記集計サーバへ送信する受付端末と、
を備えることを特徴とする投票結果集計システム。
【請求項２】
前記無線アクセスポイント、前記議事進行端末及び前記受付端末は、前記集計サーバに、有線で接続されていることを特徴とする請求項１記載の投票結果集計システム。
【請求項３】
前記議事進行端末は、前記複数の株主端末へ前記議案番号ごとの前記投票結果の前記受付開始時及び前記受付終了時を一斉同報する一斉同報部を更に備えることを特徴とする請求項１または請求項２記載の投票結果集計システム。
【請求項４】
前記一斉同報部は、前記複数の株主端末へ前記議案番号ごとの前記投票結果の前記受付開始時及び前記受付終了時を会場内における特定の音声の出力によって一斉同報し、かつ、
前記複数の株主端末は、内蔵されたマイクから入力された前記特定の音声を認識し、前記認識された音声の情報から前記議案番号と前記投票結果の前記受付開始時及び前記受付終了時をそれぞれ取得することを特徴とする請求項３記載の投票結果集計システム。
【請求項５】
前記一斉同報部は、前記複数の株主端末へ前記議案番号ごとの前記投票結果の前記受付開始時及び前記受付終了時を会場内における特定の画像の映写によって一斉同報し、かつ、
前記複数の株主端末は、内蔵されたカメラによって撮影された前記特定の画像を認識し、前記認識された画像の情報から前記議案番号と前記投票結果の前記受付開始時及び前記受付終了時をそれぞれ取得することを特徴とする請求項３記載の投票結果集計システム。
【発明の詳細な説明】
【技術分野】
【０００１】
本発明の実施形態は、株主総会等、議案に対する賛否を問う会場において、出席者の賛否を集計する投票結果集計システムに関する。
【背景技術】
【０００２】
株式会社の株主総会が開催される場合、総会での議案への議決権行使は、（１）総会前に、インターネットあるいは郵送により、議案に対する賛否を投票する方法、（２）総会において、直接、賛否を投票する方法、の二つの方法によって行われる。そして、総会においては、上記（１）の結果に加え、上記（２）の結果を集計したものが、議案への最終的な投票の結果となる。
【先行技術文献】
【特許文献】
【０００３】
【特許文献１】特開２００３−２９６４９５号公報
【特許文献２】特開２００７−２０７１１６号公報
【発明の概要】
【発明が解決しようとする課題】
【０００４】
株主総会では、上記（１）の事前投票によるものが圧倒的に多く、総会前に議案に対する賛否が事前に確定しており、上記（２）の総会における議案への賛否の状況によって左右されないことがある。その場合、総会において、総会出席株主の賛否を正確に把握する必要がなく、総会において、出席した株主の賛否を個別に数えることは行われない場合があった。しかし、近年は海外の株主等から総会での議案に対する議決権行使の状況の正確な把握を求める声があり、総会出席株主の議案に対する賛否を把握する必要性が高まっている。
【０００５】
また、総会において、出席した株主の賛否を把握するためには、株主ごとに異なる議決数と、議案ごとの株主の賛否により、議案ごとに賛否の集計を行う必要があるが、総会では、多数の株主が出席するケースがあり、挙手等による投票形式では、正確な集計を行うことは困難な場合である。
【０００６】
このため、総会受付時に株主に応じた議決数と、株主を特定できるＩＤ等の情報を保持した無線端末等を株主に渡し、議案ごとに株主が無線端末等を通じて投票を行うことにより、賛否を把握するシステムが提案され、実際に利用されている。しかし、この投票結果集計システムにおいては、無線通信を使っていることから、意図的あるいはその他の何らかの理由で通信障害が生じた場合には投票を行うことができず、結果として、総会に出席した株主の議案に対する賛否を把握できないという問題があった。
【０００７】
そこで、本発明は、上記従来技術の問題に鑑み、通信障害が発生した場合であっても総会に出席した株主の各議案に対する賛否を正確に集計できる投票結果集計システムを提供することを目的とする。
【課題を解決するための手段】
【０００８】
本発明の一実施形態に係る投票結果集計システムは、株主総会における議案番号ごとに、投票結果の受付開始時及び受付終了時に係る入力指示をそれぞれ受信した時の自サーバの現在時刻と投票状態を関連付けた議決状況情報と、議案番号ごとに、投票結果、投票実施時刻、株主番号及び議決権数を関連付けた投票結果情報とをデータベースに記録するとともに、議案番号ごとに、投票実施時刻が受付開始時から受付終了時までの投票受付時間内である有効な投票結果を抽出し、議案番号と投票結果の組み合わせごとに議決権数を集計する集計サーバと、この集計サーバに接続され、無線通信を中継する無線アクセスポイントと、この無線アクセスポイントと無線通信を行う無線通信部、自端末における投票実施時刻を管理する時刻管理部、自端末に係る投票結果情報を集計サーバへ無線通信部を介して送信する投票実施部及び自端末に係る投票結果情報を記憶する投票結果情報記憶部をそれぞれ有する複数の株主端末と、集計サーバに対して、議案番号ごとに投票結果の受付開始時及び受付終了時に係る入力指示を送信してデータベースへ議決状況情報を記録させるとともに、複数の株主端末への受付開始時及び受付終了時に係るメッセージの送信を要求し、投票状態が投票締切である議案番号を送信して有効な投票結果の集計を要求する議事進行端末と、複数の株主端末との通信による接続時に、投票結果情報記憶部に記憶された投票結果情報を読取り、集計サーバへ送信する受付端末と、を備える。
【図面の簡単な説明】
【０００９】
【図１】本発明の実施形態１に係る投票結果集計システムの全体構成例を示すブロック図。
【図２】図１に示す株主識別情報記憶部に記憶される株主識別情報の具体例を示す図。
【図３】図１に示す投票結果情報記憶部に記憶される投票結果情報の具体例を示す図。
【図４】図１に示す議決権行使書の具体例を示す図。
【図５】図１に示す株主情報ＤＢに記憶される株主情報の具体例を示す図。
【図６】図１に示す投票結果情報ＤＢに記憶される投票結果情報の具体例を示す図。
【図７】図１に示す議決状況ＤＢに記憶される議決状況の具体例を示す図。
【図８】図１に示す受付端末及び集計サーバ間で実行される入場時処理の具体例を示すフローチャート。
【図９】図１に示す議事進行端末で実行される議事進行結果表示処理の具体例を示すフローチャート。
【図１０】図９のＳ９０２に示す投票開始処理の具体例を示すフローチャート。
【図１１】図９のＳ９０４に示す投票終了処理の具体例を示すフローチャート。
【図１２】図１に示す集計サーバで実行される投票結果管理処理の具体例を示すフローチャート。
【図１３】図１に示す集計サーバで実行される議決状況管理処理の具体例を示すフローチャート。
【図１４】図１に示す株主端末で実行される投票開始・終了メッセージ受付処理の具体例を示すフローチャート。
【図１５】図１に示す株主端末で実行される投票結果受付処理の具体例を示すフローチャート。
【図１６】図１に示す受付端末で実行される株主退場時処理の具体例を示すフローチャート。
【図１７】図１に示す集計サーバで実行される全議決集計処理の具体例を示すフローチャート。
【発明を実施するための形態】
【００１０】
以下、本発明の実施形態について図面を用いて詳細に説明する。  
＜実施形態１＞
図１は本発明の実施形態１に係る投票結果集計システムの全体構成例を示すブロック図である。同図に示されるように、本実施形態に係る投票結果集計システムは、株主端末１０、無線アクセスポイント２０、受付端末３０、集計サーバ４０、及び議事進行端末５０から構成されている。
【００１１】
株主端末１０は、株主総会に出席する株主が操作を行い、投票を実施するための端末であり、無線通信部１１、表示部１２、ユーザ入力部１３、株主端末情報記憶部１４、株主端末情報リーダライタ部１５（以下、株主端末情報ＲＷ部１５と記す）、投票実施部１６及び時刻管理部１７を備えている。
【００１２】
無線通信部１１は、無線アクセスポイント２０との間で無線通信を行う通信装置であり、無線アクセスポイント２０を介して集計サーバ４０や他の端末と通信を行うことが出来る。
【００１３】
表示部１２は、端末を操作する株主に対して各種の情報（例えば、投票を行うための情報）やユーザ入力部１３からの入力情報を表示する液晶ディスプレイ等の表示装置である。ユーザ入力部１３は、株主が投票等を行うための各種の入力手段である。具体的には、キーボードや、複数個のボタン、あるいは、タッチパネルなどで実現されるユーザ入力インターフェースである。
【００１４】
株主端末情報記憶部１４は、株主識別情報記憶部１４Ａと投票結果情報記憶部１４Ｂからなり、株主識別情報及び投票結果情報を含む株主端末情報を保持する記憶装置（記憶媒体）である。具体的には、ＩＣカードやＳＤカードなどが相当する。
【００１５】
株主識別情報記憶部１４Ａに記憶される株主識別情報は、個々の株主を特定し、識別する情報である。端末を使用する株主を一意に特定できるものであればよく、株主番号や、受付時の番号等を用いてもよい。図２は、図１に示す株主識別情報記憶部１４Ａに記憶される株主識別情報の具体例を示す図である。同図に示されるように、投票時の参考として、識別子である株主番号の他に、株主の氏名及び名称、住所、議決権数及び株式種類等の情報を含んでいてもよい。
【００１６】
投票結果情報記憶部１４Ｂ内に記憶される投票結果情報は、各議案に対する議決権行使の情報である。図３は、図１に示す投票結果情報記憶部１４Ｂに記憶される投票結果情報の具体例を示す図である。ここでは、株主番号、議案番号、投票結果、投票実施時刻、送信状況を含んでいる。投票結果には、賛成、反対、棄権等の情報を含んでいる。
【００１７】
株主端末情報ＲＷ部１５は、株主端末情報記憶部１４上の情報を読み書きする機能を持つ。例えば、ＩＣカードのリーダライタなどが相当する。
【００１８】
投票実施部１６は、集計サーバ４０からの通知を受け、現在投票を行っている議案番号をディスプレイに表示し、ユーザ入力部１３からの入力により、株主からの投票結果を受け取り、集計サーバ４０に議案番号と投票結果を合わせて送信する。また、集計サーバ４０と通信ができないなどの障害発生時には、議案番号、投票結果に加えて、時刻管理部１７から得た現在時刻を合わせて、株主端末情報ＲＷ部１５を介して、投票結果情報に保存する。
【００１９】
時刻管理部１７は、現在時刻を保持、管理する。投票実施部１６からの問合せに対し、現在時刻を返す。尚、ＮＴＰ（network time protocol）等のプロトコルなどを用いて、集計サーバ４０や外部システムの時刻を参照し、時刻の同期を行い、正確な時刻を保持する機能を持つとしてもよい。
【００２０】
無線アクセスポイント２０は、無線による通信を有線通信網に中継する中継装置であり、無線通信部２１とＬＡＮ通信部２２を備える。無線通信部２１は、アクセスを行う端末との無線によるデータの送受信を行う。本実施形態においては、IEEE802.11で規格として定められている無線通信を用いるものとする。尚、株主総会が開かれる会場において無線通信できるものであればよいため、この方式だけに限定するものではない。また、当該無線アクセスポイント２０は、ＬＡＮ通信部２２により、有線通信網であるＬＡＮに接続する。これにより、無線通信を行う端末（例えば、株主端末１０）と、ＬＡＮに接続された端末との間で通信が可能となっている。接続する端末が多数となる場合には、必要に応じて、無線アクセスポイント２０を複数用意する。尚、無線アクセスポイント２０では、各端末に対して、無線通信を許可する認証機能や、無線伝送路上の通信データを保護するための暗号化機能などを備えると好適である。以降、IEEE802.11 a/b/gといった、一般に広く使用されている無線ＬＡＮ方式を用いるものとして説明を行う。
【００２１】
受付端末３０は、株主総会への入場時等に株主の受付を行い、株主の認証後に、認証した株主ごとに株主識別情報を株主端末１０に書き込み、総会への出席の情報を集計サーバ４０に送信する。また、株主端末１０に保存されている投票結果を読み取り、集計サーバ４０に送信する機能を持つ。受付端末３０は、行使書読取Ｉ／Ｆ部３１、株主認証要求部３２、受付側ＬＡＮ通信部３３、株主識別情報書込部３４、受付側株主端末情報ＲＷ部３５及び投票結果情報読込部３６を備える。
【００２２】
行使書読取Ｉ／Ｆ部３１は、決議権行使書に記載された情報を読み取る機能を持つインターフェースであり、本実施形態では二次元バーコードリーダを用いる。株主は事前に送付された紙に印刷された決議権行使書を、総会会場の受付に提示し、受付では、決議権行使書に記載された二次元バーコードを読み取る。図４は、図１に示す議決権行使書の具体例を示す図である。同図に示されるように、決議権行使書には、会社コード、回期、株主番号、氏名、住所、議決権数、株式種類などが記載される。
【００２３】
株主認証要求部３２は、行使書読取Ｉ／Ｆ部３１を用いて、総会に来場した株主の決議権行使書の内容を読取る共に、集計サーバ４０の株主認証部４４へ株主の認証要求を行う。
【００２４】
受付側ＬＡＮ通信部３３は、ＬＡＮとの接続、通信を行う機能を持つ通信装置である。株主識別情報書込部３４は、株主認証部４４において正規の株主と認証された場合に、集計サーバ４０側より出力された株主識別情報を受付側株主端末情報ＲＷ部３５を介して、株主端末１０の株主端末情報記憶部１４へ書込む。
【００２５】
受付側株主端末情報ＲＷ部３５は、株主端末１０の株主端末情報記憶部１４に記憶された情報の読込み、書込みの機能を持つインターフェースであり、株主端末１０の株主端末情報ＲＷ部１５と同じ機能を持つものとする。本実施形態では、ＩＣカードリーダライタで実現する。投票結果情報読込部３６は、受付側株主端末情報ＲＷ部３５を介して、株主端末１０が保持する投票結果を読込み、集計サーバ４０の投票結果情報管理部４６へ送信する。
【００２６】
集計サーバ４０は、株主に関する情報を保持し、受付端末３０で受付を行った株主の認証と、認証を行った株主の情報として議決権数等を返信する機能と、受付端末３０で株主端末１０から読み取った投票結果を集計する機能を持つ。集計サーバ４０は、サーバ側ＬＡＮ通信部４１、サーバ側時刻管理部４２、株主情報ＤＢ４３、株主認証部４４、投票結果情報ＤＢ４５、投票結果情報管理部４６、議決状況ＤＢ４７、議決状況管理部４８を備える。
【００２７】
サーバ側ＬＡＮ通信部４１は、ＬＡＮとの接続、通信を行う機能を持つ。サーバ側時刻管理部４２は、現在時刻を保持、管理する。問合せに対し、現在時刻を返す。また、例えば、ＮＴＰ等のプロトコルを用いて、外部システムの時刻を参照して時刻の同期を行い、正確な時刻を保持する機能を持つ。なお、時刻を正確に保持するために、ＧＰＳ信号に含まれる時刻情報や、ＦＭ波で送信される時刻情報等を用いて、時刻同期を行ってもよい。
【００２８】
株主情報ＤＢ４３は、株主に関する情報を格納する。株主に対する情報の問合せに対し、回答を返す。図５は、図１に示す株主情報ＤＢ４３に記憶される株主情報の具体例を示す図である。
【００２９】
株主認証部４４は、受付端末３０からの問合せに対し、株主情報ＤＢ４３の内容を参照し、該当する株主情報を返すプログラムである。受付端末３０において、株主情報が得られない場合には、株主情報ＤＢ４３内の該当する株主の情報を、受付端末３０に返す。
【００３０】
投票結果情報ＤＢ４５は、株主の投票結果情報を格納する。図６は、図１に示す投票結果情報ＤＢ４５に記憶される投票結果情報の具体例を示す図である。ここでは、投票結果情報は、株主番号、議案番号、投票結果（賛成、反対、棄権、無効）、議決権数、投票実施時刻、投票方法区分（事前、総会、など）をデータ項目としている。
【００３１】
投票結果情報管理部４６は、株主端末１０の投票実施部１６や、受付端末３０の投票結果情報読込部３６からの通信を受けて、議案ごとの投票結果を、投票結果情報ＤＢ４５に記録し、管理するプログラムである。また、議事進行端末５０の議事進行管理部５３からの要求に応じて、指定された議案番号に対しての投票の集計結果を返す。
【００３２】
議決状況ＤＢ４７は、各議案に対し、投票を開始、締め切った時間を格納する。図７は、図１に示す議決状況ＤＢ４７に記憶される議決状況の具体例を示す図である。ここでは、議決状況は、議案番号、各議案の投票の状況（投票開始／終了）、その時刻をデータ項目としている。
【００３３】
議決状況管理部４８は、議事進行端末５０からの通信を受け、指定された議案番号に対し、通信を受理した時刻をサーバ側時刻管理部４２から採取し、議決状況ＤＢ４７に、議案番号と投票終了時刻（締切時刻）として記録し、管理するプログラムである。
【００３４】
議事進行端末５０は、議事進行に必要な情報（議案番号、議案内容や、投票開始、終了等）の会場設置のスクリーン等への表示、投票終了（締切）の入力、議案の投票結果の表示を行う。議事進行端末５０は、ＬＡＮ通信部５１、進行条件入力部５２、議事進行管理部５３、議事進行結果表示部５４を備える。
【００３５】
ＬＡＮ通信部５１は、ＬＡＮとの接続、通信を行う機能を持つ。進行条件入力部５２は、オペレータから入力された議案番号、投票開始・終了時刻などの議事進行条件を入力するための入力装置である。議事進行管理部５３は、進行条件入力部５２より入力された情報に基づいて議事進行処理を行う。例えば、ＬＡＮ通信部５１を介して集計サーバ４０の投票結果情報管理部４６にアクセスし、議案番号を指定して、その議案番号に対する投票結果の集計結果を受け取り、表示を行う。
【００３６】
議事進行結果表示部５４は、議事進行管理部５３から出力された議事進行に必要な情報を会場設置のスクリーン等へ表示する。例えば、図１にあるように議事進行端末５０に接続したプロジェクタを介して、スクリーンへの投影を行う。
【００３７】
さらに、各議案に対し、その投票の開始、終了（締切）時刻を、集計サーバ４０の議決状況管理部４８に、議案番号とその状況（開始、終了（締切））を通知する。
【００３８】
以下、本実施形態に係る投票結果集計システムの動作を説明する。処理の流れは、（１）事前投票結果の格納、（２）入場時処理、（３）総会での投票、（４）株主退場時処理、（５）全議案集計処理、に大きく分類され、順次実行される。
【００３９】
（１）事前投票結果の格納
株主総会開催前までに、郵送、インターネット等、定められた手段により投票が実施された結果を、株主情報ＤＢ４３と投票結果情報ＤＢ４５に格納する。図５の株主情報ＤＢ４３では、ここでは、事前行使を行っていない株主と、事前行使を行った株主の情報の例を示している。「株主番号：０００１０００１」は、事前行使を実施しておらず、「株主番号：１０００００９９」は、事前行使を実施している状況である。図６の投票結果情報ＤＢ４５では、事前行使を行った場合の投票内容の例を示している。ここでは、「株主番号：１０００００９９」が、事前行使の結果として、各議案に賛否を投票している状況を格納している。
【００４０】
（２）入場時処理
株主は、事前に送付された紙に印刷された決議権行使書（図４参照）を持参し、総会会場の受付へ提出する。受付では、株主個人に渡すための株主端末１０を用意し、株主端末１０と受付端末３０は、リーダライタを用いてデータの授受ができる状態となっているものとする。
【００４１】
以下、受付端末３０での、株主識別情報書込部３４の処理を、「株主番号：０００１０００１」を例に説明する。図８は、図１に示す受付端末３０及び集計サーバ４０間で実行される入場時処理の具体例を示すフローチャートである。  
Ｓ８０１においては、株主が会場の受付で決議権行使書を提示すると、行使書読取Ｉ／Ｆ部３１を介して、決議権行使書の内容が読み取られる。
【００４２】
Ｓ８０２においては、読み取った決議権行使書の内容を、集計サーバ４０の株主認証部４４へ送信し、該当する株主が存在するか否かを確認する。この際、集計サーバ４０側の処理では、入力として、株主番号を受け取り、出力として、株主情報ＤＢ４３の該当する株主の情報を返す。ここでは、「株主番号：０００１０００１」の情報がＳ８０１において送付されると、株主認証部４４は、図５の株主情報ＤＢ４３に該当する株主が存在することが確認でき、該当する株主の情報を返却する（Ｓ８０３）。なお、株主の認証のエラー、該当株主が株主認証部４４より存在しない等のエラーが発生した場合は、受付端末３０へ認証エラーを返却する（Ｓ８０４）。
【００４３】
Ｓ８０５においては、投票結果情報管理部４６は、入力として株主番号を受け取り、投票結果情報ＤＢ４５の中で、当該株主の事前投票結果が存在するか否かを判定する。ここで、事前投票結果が存在すると判定された場合は、Ｓ８０６へ進む。これに対し、事前投票結果が存在しないと判定された場合は、Ｓ８０７へ進む。
【００４４】
Ｓ８０６においては、投票結果情報管理部４６は、投票結果情報ＤＢ４５の中の事前投票結果を削除する。事前投票を行った株主が、株主総会に出席した場合には、事前投票を無効にし、株主総会での投票を優先するためである。
【００４５】
Ｓ８０７においては、株主情報（株主番号、氏名、住所、議決権数）を、受付側株主端末情報ＲＷ部３５を介して株主端末１０に送る。株主端末１０は、株主端末情報ＲＷ部１５を介して株主識別情報記憶部１４Ａに株主識別情報を格納する。ここでは、株主端末１０の株主識別情報として、「株主番号：０００１０００１」が記憶される。
【００４６】
（３）総会での投票
株主は、入場時処理を終了後、株主端末１０を保持して、総会会場へ入場する。総会会場内では、議長が、議案ごとに議案への投票を呼びかけ、投票の終了（締切）を宣言する。この投票における処理を図９乃至図１５を参照して説明する。尚、図９乃至図１１の処理は議事進行端末５０が実行し、図１２及び図１３の処理は集計サーバ４０が実行し、図１４及び図１５は株主端末１０が実行する。
【００４７】
図９は、図１に示す議事進行端末５０で実行される議事進行管理処理の具体例を示すフローチャートである。  
Ｓ９０１においては、議事進行管理部５３は、進行条件入力部５２から投票開始の指示が入力されたか否かを判定する。ここで、投票開始の指示が入力されたと判定された場合は、Ｓ９０２へ進む。これに対し、投票開始の指示が入力されていないと判定された場合は、Ｓ９０３へ進む。
【００４８】
Ｓ９０２においては、議事進行管理部５３は、投票開始処理を実行する。この処理の詳細は図１０において後述する。  
Ｓ９０３においては、議事進行管理部５３は、進行条件入力部５２から投票終了の指示が入力されたか否かを判定する。ここで、投票終了の指示が入力されたと判定された場合は、Ｓ９０４へ進む。これに対し、投票終了の指示が入力されていないと判定された場合は、Ｓ９０５へ進む。
【００４９】
Ｓ９０４においては、議事進行管理部５３は、投票終了処理を実行する。この処理の詳細は図１１において後述する。  
Ｓ９０５においては、議事進行管理部５３は、全ての議案に対する投票終了の指示が入力されたか否か判定する。ここで、全ての議案に対する投票終了の指示が入力されたと判定された場合は、処理を終了する。これに対し、全ての議案に対する投票終了の指示が入力されていないと判定された場合には、Ｓ９０１へ戻り、Ｓ９０１〜Ｓ９０５の処理が繰り返される。
【００５０】
図１０は、図９のＳ９０２に示す投票開始処理の具体例を示すフローチャートである。
Ｓ１００１においては、議事進行管理部５３は、投票開始通知を議決状況管理部４８へ送信する。
【００５１】
Ｓ１００２においては、議事進行管理部５３は、投票開始通知を集計サーバ４０を介して各株主端末１０へ送信する。  
Ｓ１００３においては、議事進行管理部５３は、議事進行結果表示部５４に投票開始の旨をスクリーン及び自端末のディスプレイへ表示させ、処理を終了する。
【００５２】
図１１は、図９のＳ９０４に示す投票終了処理の具体例を示すフローチャートである。
Ｓ１１０１においては、議事進行管理部５３は、集計サーバ４０の議決状況管理部４８へ議案番号を含む投票終了情報を送信する。  
Ｓ１１０２においては、議事進行管理部５３は、集計サーバ４０を介して各株主端末１０へ議案番号を含む投票終了情報を送信する。
【００５３】
Ｓ１１０３においては、議事進行管理部５３は、集計サーバ４０の投票結果情報管理部４６に議案番号とその投票結果を問合せる。  
Ｓ１１０４においては、議事進行管理部５３は、議事進行結果表示部５４に投票終了の旨をスクリーンへ表示させ、処理を終了する。
【００５４】
図１２は、図１に示す集計サーバ４０で実行される投票結果管理処理の具体例を示すフローチャートである。  
Ｓ１２０１においては、サーバ側ＬＡＮ通信部４１は、受付端末３０からの各種のリクエストを受付ける。
【００５５】
Ｓ１２０２においては、投票結果情報管理部４６は、受付リクエストが事前投票結果削除リクエストであるか否かを判定する。ここで、事前投票結果削除リクエストであると判定された場合には、Ｓ１２０３へ進む。これに対し、事前投票結果削除リクエスト以外と判定された場合は、Ｓ１２０５へ進む。
【００５６】
Ｓ１２０３においては、投票結果情報管理部４６は、事前投票結果が投票結果情報ＤＢ４５に存在するか否かを判定する。ここで、事前投票結果が存在すると判定された場合は、Ｓ１２０４へ進む。これに対し、事前投票結果が存在しないと判定された場合は、処理を終了する。  
Ｓ１２０４においては、投票結果情報管理部４６は、該当する事前投票結果を投票結果情報ＤＢ４５から削除し、処理を終了する。
【００５７】
Ｓ１２０５においては、投票結果情報管理部４６は、受付リクエストが投票結果受付リクエストであるか否かを判定する。ここで、受付リクエストが投票結果受付リクエストと判定された場合は、Ｓ１２０６へ進む。これに対し、投票結果受付リクエストではないと判定された場合は、Ｓ１２０８へ進む。
【００５８】
Ｓ１２０６においては、投票結果情報管理部４６は、サーバ側時刻管理部４２から現在時刻を取得する。  
Ｓ１２０７においては、投票結果情報管理部４６は、受付けた投票結果と現在時刻を合わせて投票結果情報ＤＢ４５に格納する。
【００５９】
Ｓ１２０８においては、投票結果情報管理部４６は、投票結果集計リクエストであるか否かを判定する。ここで、受付リクエストが投票結果集計リクエストと判定された場合は、Ｓ１２０９へ進む。これに対し、投票結果集計リクエストではないと判定された場合は、処理を終了する。  
Ｓ１２０９においては、投票結果情報管理部４６は、議決状況管理部４８に議決状況問合せを行う。
【００６０】
Ｓ１２１０においては、投票結果情報管理部４６は、有効な投票結果を抽出する。具体的には、受信した議案番号への投票に対し、（ｉ）投票開始時刻から完了時刻までの間の投票か、事前投票の結果のみを有効とする、（ｉｉ）重複投票のうち、最新の投票結果のみを有効にし、残りを無効にする、ことで抽出する。
【００６１】
Ｓ１２１１においては、投票結果情報管理部４６は、受信した議案番号への有効な投票結果の議決権数を合計し、その値を議事進行端末５０へ返却し、処理を終了する。尚、集計結果はサーバ内にも保持するものとする。
【００６２】
図１３は、図１に示す集計サーバ４０で実行される議決状況管理処理の具体例を示すフローチャートである。
【００６３】
Ｓ１３０１においては、議事進行端末５０からリクエストを受付ける。  
Ｓ１３０２においては、投票結果情報管理部４６は、受付リクエストが議決状況記録リクエストか否かを判定する。ここで、受付リクエストが議決状況記録リクエストと判定された場合は、Ｓ１３０３へ進む。受付リクエストが議決状況記録リクエスト以外と判定された場合は、Ｓ１３０５へ進む。
【００６４】
Ｓ１３０３においては、議決状況管理部４８は、サーバ側時刻管理部４２から現在時刻を取得する。  
Ｓ１３０４においては、議決状況管理部４８は、議案番号、投票状態及びＳ１３０３で取得した現在時刻を議決状況ＤＢ４７に記録する。
【００６５】
Ｓ１３０５においては、議決状況管理部４８は、受付リクエストが議決状況問合せリクエストか否かを判定する。ここで、受付リクエストが議決状況問合せリクエストと判定された場合は、Ｓ１３０６へ進む。これに対し、受付リクエストが議決状況問合せリクエスト以外と判定された場合は、処理を終了する。  
Ｓ１３０６においては、議決状況管理部４８は、議決状況ＤＢ４７から該当する議案に対する開始時刻と終了時刻を返却し、処理を終了する。
【００６６】
図１４は、図１に示す株主端末１０で実行される投票開始・終了メッセージ受付処理の具体例を示すフローチャートである。  
Ｓ１４０１においては、投票実施部１６は、集計サーバ４０を介して議事進行端末５０からの投票開始、投票終了のメッセージを受付ける。
【００６７】
Ｓ１４０２においては、投票実施部１６は、受付けたメッセージが投票開始メッセージか否かを判定する。ここで、投票開始メッセージと判定された場合は、Ｓ１４０３へ進む。これに対し、投票開始メッセージではなく、投票終了メッセージと判定された場合は、Ｓ１４０４へ進む。
【００６８】
Ｓ１４０３においては、投票実施部１６は、投票開始の旨を表示部１２上に通知し、処理を終了する。  
Ｓ１４０４においては、投票実施部１６は、投票終了の旨を表示部１２上に通知し、処理を終了する。
【００６９】
図１５は、図１に示す株主端末１０で実行される投票結果受付処理の具体例を示すフローチャートである。  
Ｓ１５０１においては、投票実施部１６は、全投票完了か否かを判定する。ここで、全投票が完了したと判定された場合は、処理を終了する。これに対し、投票が未完了と判定された場合は、Ｓ１５０２へ進む。
【００７０】
Ｓ１５０２においては、投票実施部１６は、投票開始メッセージの入力有無を判定する。ここで、投票開始メッセージの入力有りと判定された場合は、Ｓ１５０３へ進む。これに対し、投票開始メッセージの入力無しと判定された場合は、Ｓ１５０１へ戻る。
【００７１】
Ｓ１５０３においては、投票実施部１６は、開始を指示された議案への入力を促すメッセージを表示部１２上に表示する。  
Ｓ１５０４においては、投票実施部１６は、株主からの入力を待つ。
【００７２】
Ｓ１５０５においては、投票実施部１６は、現在の議案の投票完了メッセージを受信したか否かを判定する。ここで、投票完了メッセージを受信したと判定された場合は、Ｓ１５０６へ進む。これに対し、投票完了メッセージを受信していないと判定された場合は、Ｓ１５０４へ戻る。
【００７３】
Ｓ１５０６においては、投票実施部１６は、時刻管理部１７から現在時刻を取得し、投票結果情報記憶部１４Ｂに投票実施時刻と投票結果を含む投票結果情報を保存する。
Ｓ１５０７においては、投票実施部１６は、端末における入力内容を集計サーバ４０の投票結果情報管理部４６へ送信する。
【００７４】
Ｓ１５０８においては、投票実施部１６は、投票結果情報の送信が完了したか否かを判定する。ここで、投票結果情報の送信が完了したと判定された場合は、Ｓ１５０９へ進む。これに対し、投票結果情報の送信が未完了と判定された場合は、Ｓ１５１０へ進む。
【００７５】
Ｓ１５０９においては、投票結果情報の送信状況に、完了を記録し、Ｓ１５０１へ戻る。
【００７６】
Ｓ１５１０においては、送信回数がリトライ回数をオーバーしたか否かを判定する。ここで、リトライ回数をオーバーしたと判定された場合は、Ｓ１５１１へ進む。これに対し、リトライ回数をオーバーしていないと判定された場合は、Ｓ１５０７へ戻る。
【００７７】
Ｓ１５１１においては、投票結果情報の送信状況に、未完了を記録し、Ｓ１５０１へ戻る。そして、Ｓ１５０１〜Ｓ１５１１の処理は、全ての投票結果情報の送信が完了（Ｓ１５０１：ＹＥＳ）するまで繰り返される。
【００７８】
以下、上記のように動作する株主端末１０、受付端末３０、集計サーバ４０及び議事進行端末５０の処理の関係を株主総会における一連の流れに沿って説明する。
【００７９】
１．  議案への投票が宣言されると、議事進行端末５０において、オペレータが進行条件入力部５２へ、議案番号と投票開始の指示を入力する。
２．  議事進行管理部５３は、議案番号と投票の開始状態を、集計サーバ４０の議決状況管理部４８へ送信する（Ｓ１００１）。議決状況管理部４８は、議決状況管理処理（Ｓ１３０３〜Ｓ１３０４）を実施し、議案番号と投票開始の情報を議決状況ＤＢ４７に記録する（Ｓ１３０４）。この際、議事進行管理部５３は、議案番号と投票の開始状態を、投票開始メッセージとして各株主端末１０へ送信する（Ｓ１００２）。
３．  株主端末１０の投票実施部１６は、議案番号と投票開始の状態を受信し（Ｓ１４０１）、株主端末１０へ投票開始の旨を表示し、株主からの議案番号に対する投票を、ユーザ入力部１３で行う（Ｓ１５０４）。
４．  株主端末１０の投票実施部１６は、株主から入力された情報を受け取ると、投票結果情報記憶部１４Ｂに記憶し（Ｓ１５０６）、集計サーバ４０の投票結果情報管理部４６へ、株主番号、投票の結果、投票実施時刻を含む投票結果情報を送信する（Ｓ１５０７）。
５．  集計サーバ４０では、投票受付処理が実行され（Ｓ１２０６〜Ｓ１２０７）、投票結果情報ＤＢ４５に反映される（Ｓ１２０７）。
６．  議案への投票の終了（締切）が宣言されると、議事進行端末５０において、オペレータが進行条件入力部５２へ議案番号と投票終了を入力する。
７．  議事進行管理部５３は、議案番号と投票終了の指示を、投票完了メッセージとして、集計サーバ４０の議決状況管理部４８へ送信する。（Ｓ１１０１）
８．  議決状況管理部４８は、議案番号と投票終了の指示を、投票完了メッセージとして、各株主端末１０へ送信する。（Ｓ１１０２）
９．  議事進行管理部５３は、集計サーバ４０の投票結果情報管理部４６へ、先ほど締め切った議案番号を送付する（Ｓ１１０３）。これに対し、集計サーバ４０の投票結果情報管理部４６は、議案番号に対する投票結果を投票結果情報ＤＢ４５から集計し、賛成の議決数、反対の議決数を回答する（Ｓ１２０９〜Ｓ１２１１）。
１０．  議案番号に対する投票結果を受領し、表示を行う（Ｓ１１０４）。
【００８０】
以下では、「株主番号：０００１０００１」の株主が投票を実行する際に、議案番号１では、通信障害なく投票が行え、議案番号２では、投票開始前から投票終了までの間、通信障害がある場合を順次説明する。
【００８１】
先ず、議案番号１の場合を説明する。
【００８２】
１．  オペレータは、議案番号１の投票開始を入力する（Ｓ１００１）。
２．  議案番号１の開始時刻が、議決状況ＤＢ４７に記録される（Ｓ１３０４）。図７のように、「議案番号：１、投票状態：開始、時刻：２０１２/１/１６  １０:００:１３」が記録される。各株主端末１０へ、議案番号１と、その投票開始が送信される（Ｓ１００２）。
３．  株主端末１０に議案番号１の投票開始を促す表示が行われ、入力を受け付け、「株主番号：０００１０００１」の株主が、議案番号１に対し賛成を入力する（Ｓ１５０４）。
４．  図３の投票結果情報に、「議案番号：１、投票結果：賛成、投票実施時刻：２０１２/１/１６  １０:０５:２３」が記録される。また、この情報が集計サーバ４０の投票結果情報管理部４６へ送られる（Ｓ１５０７）。
５．  投票受付処理により、投票結果情報ＤＢ４５に、「株主番号：０００１０００１」、議案番号：１、投票結果：賛成、投票実施時刻：２０１２/１/１６  １０:０５:２３、投票方法区分：総会」が記録される。
６．  オペレータは、議案番号１と、投票終了を入力する。
７．  議決状況管理部４８は、議決状況ＤＢ４７に、「議案番号：１、投票状態：締切、時刻：２０１２/１/１６  １０:０６:２５」を記録する（Ｓ１３０４）。
８：  議事進行管理部５３は、「議案番号：１、投票状態：投票終了」を送信する（Ｓ１１０２）。
９．  投票結果情報管理部４６は、議案番号１に対する投票結果を投票結果情報ＤＢ４５から集計し、その議決結果を回答する（Ｓ１２１１）。
１０．  議事進行管理部５３は、議事進行結果表示部５４により議決結果を表示する（Ｓ１１０４）。
【００８３】
上記の処理により、「株主番号：０００１０００１」の株主による、議案番号１の賛成投票が入力、集計され、議決結果に反映されて表示される。
【００８４】
次に、議案番号２の場合を説明する。この場合は、通信障害が発生している状況とする。通信障害により、これまでの説明と異なる動作を行う部分を説明し、その後、具体的な動作について説明を行う。
【００８５】
◆  投票開始時
通信障害により、議事進行管理部５３からの、投票開始メッセージが受領できない状況である。このため、Ｓ１５０２の条件が成立せず、Ｓ１５０３以降の投票の入力受付に入ることができない。この対策として、投票入力受付処理においては、株主からの入力によって、Ｓ１５０２の条件が成立し、Ｓ１５０３以降の処理に入ることができる。例えば、株主端末１０のディスプレイに、投票開始、のようなメニューやボタンがあり、そのメニュー、ボタンを選択あるいは、押下することが考えられる。株主は、議長からの投票開始の案内を受けた後、自分の端末において、該当する議案に対する入力画面に遷移していなければ、自身の操作で、投票開始の画面に遷移する。これにより、投票を行うことが可能となる。
【００８６】
◆  投票実行時
通信障害により、Ｓ１５０８の条件が成立せず、送信完了できない状況の場合は、Ｓ１５０７〜Ｓ１５１０の繰り返しにより、送信のリトライを行う。リトライにより、送信に成功すれば、投票の実行が完了となる。リトライ回数オーバーとなった場合には、送信できていない状況であるので、送信できなかった情報を、投票結果情報に記録し、現在の議案に対する投票内容の送信処理を完了する。投票結果情報記憶部１４Ｂに記録された投票内容は、株主退場時処理において読み取る。詳細は、株主退場時処理において説明する。
【００８７】
以下に、具体的な処理の流れを説明する。
【００８８】
１．  オペレータが、議案番号２の投票開始を入力する（Ｓ１００１）。
２．  議案番号２の開始時刻が議決情報ＤＢ４７に記録される（Ｓ１３０４）。図７のように、「議案番号：２、投票状態：開始、時刻２０１２/１/１６  １０:１２:０４」が記録される。各株主端末１０へ、議案番号２と、その投票開始が送信される（Ｓ１００２）。
３．  ここでは、通信障害が発生しているため、株主端末１０において、議案番号２の入力を促す表示は出ない。株主は、場内のアナウンス等に従い、議案番号と、その投票結果を入力する。ここでは、「議案番号：２」と、「投票結果：反対」を入力したとする（Ｓ１５０４）。
４．  この場合、図３の投票結果情報に、「議案番号：２、投票結果：反対、投票実施時刻：２０１２/１/１６  １０:１３:４５」が記録される。また、この情報が集計サーバ４０の投票結果情報管理部４６へ送られる（Ｓ１５０７）。通信障害が発生しているため、リトライを実行（Ｓ１５０７〜Ｓ１５１０）の後、送信を終了する。
５．  集計サーバ４０の投票受付処理は実行されない。
６．  オペレータは、議案番号２と、投票終了を入力する（Ｓ１１０１）。
７．  議決状況管理部４８は、議決状況ＤＢ４７に、「議案番号：２、投票状態：締切、時刻：２０１２/１/１６  １０:１７:３４」を記録する（Ｓ１３０４）。
８．  議事進行管理部５３は、「議案番号：２、投票状態：締切」を送信する（Ｓ１１０２）。
９．  投票結果情報管理部４６は、議案番号２に対する投票結果を、投票結果情報ＤＢ４５から集計し、議決結果を回答する（Ｓ１２１１）。
１０．  議決結果を表示する（Ｓ１１０４）。この処理において表示する議決結果には、「株主番号：０００１０００１」の投票結果は反映されていない。全ての議決の集計は、後述する全議案集計処理において行われる。
【００８９】
（４）株主退場時処理
総会が終了すると、株主は、株主端末１０を持ち、受付において、受付端末３０での退場時処理を行う。入場時処理の場合と同じく、株主端末１０と受付端末３０は、株主端末情報ＲＷ部１５及び受付側株主端末情報ＲＷ部３５を用いて、データの授受ができる状態となっているものとする。
【００９０】
図１６は、図１に示す受付端末３０で実行される株主退場時処理の具体例を示すフローチャートである。  
Ｓ１６０１においては、投票結果情報読込部３６は、接続された株主端末１０から受付側株主端末情報ＲＷ部３５を介して株主識別情報を読込む。
【００９１】
Ｓ１６０２においては、読込まれた株主識別情報が正しい否かを判定する。ここで、株主識別情報が正しいと判定された場合には、Ｓ１６０３へ進む。入場処理を行った株主端末１０であることを確認するためである。これに対し、株主識別情報が誤りと判定された場合は、処理を終了する。
【００９２】
Ｓ１６０３においては、株主端末１０に記憶されている受付側株主端末情報ＲＷ部３５を介して投票結果情報を読込む。  
Ｓ１６０４においては、集計サーバ４０へ未送信の投票結果情報の有無を判定する。ここで、未送信の投票結果情報が有ると判定された場合には、Ｓ１６０５へ進む。これに対し、未送信の投票結果情報は無しと判定された場合には、処理を終了する。
【００９３】
Ｓ１６０５においては、未送信の投票結果情報を受付側ＬＡＮ通信部３３、サーバ側ＬＡＮ通信部４１を経て投票結果情報管理部４６へ送信し、処理を終了する。このため、投票結果情報管理部４６においては、無線アクセスポイント２０経由で受信される投票結果情報と同様に、投票結果情報ＤＢ４５への記録処理が行われる。例えば、図６の投票結果情報ＤＢ４５において、「株主番号：０００１０００１、議案番号：２、投票結果：反対、議決件数：１０００、投票実施時刻：２０１２/１/１６  １０:１３:４５」が追加される。これにより、通信障害等で総会中に投票できなかった投票結果を、回収することができ、正確な投票結果を記録することができる。
【００９４】
（５）全議案集計処理
全出席株主が退場後、株主の投票結果の再集計を行う。議案ごとに、投票集計処理を行うことで、最終的な投票結果を得ることができる。
【００９５】
図１７は、図１に示す集計サーバ４０で実行される全議決集計処理の具体例を示すフローチャートである。
【００９６】
Ｓ１７０１においては、全ての議案に対する集計が完了したか否かを判定する。ここで、集計が完了したと判定された場合は、処理を終了する。これに対し、集計が未完了と判定された場合は、Ｓ１７０２へ進む。
【００９７】
Ｓ１７０２においては、未集計の議案番号で投票集計リクエストを行う。  
Ｓ１７０３においては、投票集計処理（図１２のＳ１２０９〜Ｓ１２１１参照）を行う。
【００９８】
を実行し、Ｓ１７０１へ戻る。そして、Ｓ１７０１〜Ｓ１７０３の処理は、全ての議案に対する集計処理が完了するまで繰り返される。
【００９９】
従って、議案番号１に関しては、議決情報の問合せを行うことにより、投票開始が「２０１２/１/１６  １０:００:１３」、投票終了が「２０１２/１/１６  １０:０６:２５」とする投票結果情報が得られるため、上記図６に示した投票結果情報ＤＢ４５において、事前投票の結果（「株主番号：１０００００９９」）と、総会投票の結果（「株主番号：０００１０００１」の投票結果）を合計した、「賛成議決数：１０１０００」が集計結果となる。
【０１００】
また、議決番号２に関しては、投票開始が「２０１２/１/１６  １０:１２:０４」、投票終了が「２０１２/１/１６  １０:１７:３４」との情報を得る。総会投票での「株主番号：０００１０００１」の投票は、投票結果情報ＤＢ４５より、「２０１２/１/１６ １０:１３:４５」に実施され、投票期間内に実施されていることが判定できるので、有効な投票と判定し、集計結果に加算する。議案番号２に関しては、賛成議決数１０００００、反対議決数１０００が集計結果となる。
【０１０１】
以上の処理により、総会中の議案への投票処理において、通信障害が発生した場合においても、株主の投票結果を回収し、また、投票期間との突合せにより、正確な投票結果を得ることが出来る。
【０１０２】
＜実施形態２＞
本実施形態に係る投票結果集計システムは、実施形態１と異なり、議事進行端末５０は株主端末１０へ議案ごとの投票開始時及び投票終了時を一斉同報する一斉同報部５５を更に備える。尚、実施形態１において付された符号と共通する符号は同一の対象を表すため説明を省略し、以下では異なる箇所について詳細に説明する。
【０１０３】
上記実施形態１においては、株主が投票を実施した時刻を、株主端末１０の時刻管理部１７の保持する時刻を採用していた。しかし、時刻の採取に、株主端末１０に内蔵された時計を用いる場合には、時計の精度が悪いことによる時刻のズレや、故障等により、時刻を正確に把握できない場合が考えられる。この時刻のズレにより、株主の投票結果入力が正確に集計できないおそれがある。そこで、本実施形態は、端末内の時刻の精度に関わらず、投票開始、終了（締切）のタイミングを正確に把握することを考慮したものである。
【０１０４】
時計を用いる以外の方法として、議事進行端末５０あるいは、集計サーバ４０から、各株主端末１０へ通知を行うことが考えられる。通常は、実施形態１で説明したとおり、無線を用いて、各株主端末１０へその通知を行う。この通知が、無線の通信障害によって阻害されている場合においても、投票開始と終了を通知する方法を以下に説明する。すなわち、一斉同報により、全株主端末１０に情報を送信することができればよい。一斉同報部５５は、現状使用できない無線に代わる手段をとる。
【０１０５】
◆  音声を使用する場合
株主端末１０は、マイクと音声認識部を備えるものとする。株主端末１０としては、携帯電話機や、ゲーム機等を用いることを想定する。総会において、音声により、議案番号と開始終了（締切）をアナウンスする。発話は、人間によるものとする。音声認識部では、マイクにより収集した音声情報を認識し、議案番号と開始締切の情報を取り出すことができる。尚、人間による発話の代わりに、議事進行端末５０に音声合成部を備え、会場内のスピーカを用いて音声合成部より音声を出すこととしてもよい。
【０１０６】
◆  画像を使用する場合
株主端末１０は、カメラと画像認識部を備えるものとする。また、総会会場においては、議事進行端末５０が大型スクリーン等に議案番号と投票開始・終了を表示するものとする。
【０１０７】
株主端末１０がカメラ機能を備えることで、会場内のスクリーン等に表示された情報（特定の画像）を収集することが出来る。端末のカメラをスクリーンに向け、スクリーンに投射されたＱＲコード（登録商標）や、バーコード、あるいは、文字情報に、議案番号や、開始、終了（締切）の情報を入れておき、カメラにおいて情報の採取、読み取りを行うことで、開始、終了（締切）を同報通信することができる。
【０１０８】
実施形態１では、議事進行端末５０から、無線ＬＡＮを介して、投票開始・終了のメッセージが送信され（Ｓ１００２）、各端末で受信し処理を行っていたが、本実施形態では、音声、画像又は携帯電話機の通話機能・メール機能などを用いて投票開始、投票終了（締切）を通知する。
【０１０９】
そして、各株主端末１０では、音や画像の情報を受信する。予め、音や画像において、議案番号とその開始、締切を示すデータの格納方式を定めておき、これに基づいたメッセージを送付することで、投票開始・終了のメッセージ受付処理（Ｓ１４０１）を行うことが可能となる。
【０１１０】
＜実施形態３＞
実施形態１においては、無線部の通信障害が発生した場合には、投票の結果は、退場処理時に回収することとなっていた。これに対し、本実施形態では、通信障害が発生している無線手段以外の通信手段をとることにより、通信手段を確保し、投票結果の回収を即時に行なうことを意図している。
【０１１１】
◆  近接無線通信を併用する場合
通常の無線通信には、IEEE802.11で規定されている方式を用いているとする。通信障害が、発生した周波数帯を用いない無線方式を採用する。例えば、BlueTooth（登録商標）、UWB、Felica、赤外線など、異なる周波数帯、あるいは、近接無線方式を用いることで、特定の周波数帯での通信障害を回避することができる。
【０１１２】
本実施形態においては、実施形態１の構成に加えて、株主端末１０には、無線通信部１１として、IEEE802.11の他、さらに、BlueTooth（登録商標）、UWB、Felica、赤外線などの近接無線手段を備える。ここでは、例として、赤外線を用いるものとする。また、無線アクセスポイント２０として、IEEE802.11対応のポイント（実施形態１と同様）に加え、赤外線通信によるアクセスポイント（図示省略する）を備えるものとする。
【０１１３】
また、本実施形態においては、通信障害が発生している株主端末１０に対して近接無線方式を取るために、多数の赤外線アクセスポイントあるいは、送受信装置を会場内に予め設置しておく。
【０１１４】
株主端末１０から投票を実行し、集計サーバ４０に送信ができない場合、Ｓ１５１０の処理においてリトライ回数の上限値オーバーとなり、IEEE802.11通信による送信エラーを通知する。
【０１１５】
この場合、株主は、近くの赤外線アクセスポイントへ移動し、赤外線アクセスポイントと赤外線通信により、通信を行うことで、投票を実行することができる。赤外線アクセスポイントを介して得られた投票情報は、ＬＡＮ通信部（図示省略する）を介して集計サーバ４０へ送付される。
【０１１６】
◆  音声を用いる場合
また、無線通信以外の手段として、端末が備えるスピーカを用いて、音声により各端末の情報を送信することも考えられる。この場合には、実施形態１の構成に加えて、マイク、スピーカ、音声合成部、音声認識部、ＬＡＮ通信部を有するアクセスポイントを更に備え、株主端末１０には、マイクとスピーカ、音声認識部を有するものを用いる。
【０１１７】
上記近接無線通信を用いる場合と同様、IEEE802.11による通信で送信に失敗した後、株主は株主端末１０とともにアクセスポイント付近へ移動し、スピーカを用いてデータの入力及び送信を行う。例えば、アクセスポイントの音声合成部がスピーカから議事進行をアナウンスすると、株主は日本語音声により、株主番号、議案番号、投票結果などを発声する。そして、株主端末１０のマイクにより上記音声を受信し、音声認識部においてその内容を認識し、投票結果を取り出し、集計サーバ４０に送信する。集計サーバ４０が送信完了したら、完了結果をアクセスポイントの音声合成部がスピーカを用いて完了を発話する。
【０１１８】
株主端末１０は、上記完了をマイクで受信、音声認識部で完了と認識して、投票を完了する。
【０１１９】
◆  携帯電話機を株主端末１０として用いる場合
携帯電話機を株主端末１０として用いる場合には、携帯電話機の音声、データ通信手段を利用する。この場合、株主総会に出席している株主本人が、総会会場から通信を行っていることを確認するという別の要件が発生する。実施形態１の構成に加え、携帯電話機が備える、ＧＰＳ受信装置を利用する。
【０１２０】
株主端末１０から、投票結果を送付する際に、携帯電話機のＧＰＳ受信機（図示省略する）から得られる位置情報を付与して、集計サーバ４０に送信を行う。集計サーバ４０では、投票結果情報ＤＢ４５に、上記位置情報も合わせて格納する。投票集計処理において、投票実施時刻だけではなく、位置情報もあわせて参照し、位置情報が総会会場に一致するもののみ、有効投票としてカウントすることで、総会会場内での投票を認識することができ、投票集計を正確に行うことができる。
【０１２１】
ＧＰＳ受信機による位置情報ではなく、例えば、総会入場時に受領した情報を用いた電子署名を付与する、会場のスクリーンに投射された映像を携帯電話機のカメラで撮影した撮画像を添付する等により、本人確認や、出席の証明を行うことができる。
【０１２２】
＜変形例＞
上記実施形態では、事前に送付された決議権行使書を提示することにより、株主であることを認証しているが、株主が当日提示する運転免許証等の身分証明書の氏名や、番号など、また、株主本人の生体情報を用いた生体認証（指紋や、虹彩、静脈、音声）により、株主と認証してもよい。このような場合には、行使書読取Ｉ／Ｆ部３１は、身分証明書の読み取り装置や、生体情報を読み取る装置となる。この場合、図４に示す情報は、行使書読取Ｉ／Ｆ部３１が読込んだ情報では得られないため、読み取り結果から得られた情報により、株主の認証のみを行う。認証された後、集計サーバ４０より、該当する株主の株主識別情報を得て、株主識別情報書込部３４は書込処理を行えばよい。
【０１２３】
また、上記実施形態では、議決権行使書内に二次元バーコードが記載され、行使書読取Ｉ／Ｆ部３１は二次元バーコードリーダを用いたが、これに限定されるものではない。例えば、議決権行使書として、ＲＦタグを用いてもよいし、株主総会前に事前にダウンロードした行使書を保持した、携帯電話機、携帯機器等であってもよい。その場合には、行使書読取Ｉ／Ｆ部３１には、行使書格納の方式に合わせた機器（ＲＦタグのリーダ、携帯電話機、携帯機器と通信インターフェース）を用いる。株主端末１０がＬＡＮ通信機能やＵＳＢ等のインターフェースを具備することで、受付端末３０との情報の授受を行う形態をとってもよい。
【０１２４】
また、株主端末１０の具体的な実現例としては、スマートフォンなどの携帯電話機や、無線通信機能を備えたゲーム機、パーソナルコンピュータなどが考えられる。これらは、総会開催者が端末を用意して、当日配布することとしてもよいし、株主が持ちこんだ携帯電話機等の端末を株主端末１０とし、総会前にインターネット経由等で事前に株主識別情報の設定を行い、受付時間の短縮を図ることなども考えられる。
【０１２５】
更に、株主端末１０の株主端末情報ＲＷ部１５及び受付端末３０の受付側株主端末情報ＲＷ部３５については、カメラとディスプレイ等の組み合わせも考えられる。受付処理時には、受付端末３０や外部ディスプレイ等にＱＲコード（登録商標）等の情報を表示し、株主端末１０のカメラで撮影、撮画像を認識することで情報を取り出す。そして、退場処理時には、株主端末１０側のディスプレイに投票結果等の情報を表示し、受付端末３０のカメラやバーコードリーダ等で情報を読み取るとしてもよい。
【０１２６】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２７】
１０…株主端末、１１…無線通信部、１２…表示部、１３…ユーザ入力部、１４…株主端末情報記憶部、１４Ａ…株主識別情報記憶部、１４Ｂ…投票結果情報記憶部、１５…株主端末情報ＲＷ部、１６…投票実施部、１７…時刻管理部、２０…無線アクセスポイント、２１…無線通信部、２２…ＬＡＮ通信部、３０…受付端末、３１…行使書読取Ｉ／Ｆ部、３２…株主認証要求部、３３…受付側ＬＡＮ通信部、３４…株主識別情報書込部、３５…受付側株主端末情報ＲＷ部、３６…投票結果情報読込部、４０…集計サーバ、４１…サーバ側ＬＡＮ通信部、４２…サーバ側時刻管理部、４３…株主情報ＤＢ、４４…株主認証部、４５…投票結果情報ＤＢ、４６…投票結果情報管理部、４７…議決状況ＤＢ、４８…議決状況管理部、５０…議事進行端末、５１…ＬＡＮ通信部、５２…進行条件入力部、５３…議事進行管理部、５４…議事進行結果表示部、５５…一斉同報部。
【図１】
0005951294.tif 000002
【図２】
0005951294.tif 000003
【図３】
0005951294.tif 000004
【図４】
0005951294.tif 000005
【図５】
0005951294.tif 000006
【図６】
0005951294.tif 000007
【図７】
0005951294.tif 000008
【図８】
0005951294.tif 000009
【図９】
0005951294.tif 000010
【図１０】
0005951294.tif 000011
【図１１】
0005951294.tif 000012
【図１２】
0005951294.tif 000013
【図１３】
0005951294.tif 000014
【図１４】
0005951294.tif 000015
【図１５】
0005951294.tif 000016
【図１６】
0005951294.tif 000017
【図１７】
0005951294.tif 000018